(57)【要約】 【課題】カットオフラインが出ないようにあるいは所望のグラデーションになるように施工現場で容易に対応できるようにする。【解決手段】本発明に係る間接照明ユニット１は、天井２１の近傍に水平に設置される照明ボックス体２と、ソケット取付け板３と、嵌合突起部材としてのダボ４とで構成してある。ソケット取付け板３は、その表面に光源である蛍光灯９のソケット１０をネジ等で留め付けることで、該ソケットを照明ボックス体２の内側に配置できるようになっている。ソケット取付け板３の裏面には、ダボ４が嵌り込む嵌合凹部１１を壁側縁部及び幕板側縁部にそれぞれ形成してあるとともに、背板６及び幕板８の対向側面には、ダボ４の基部が着脱自在に嵌合される嵌合穴としてのダボ穴１２をそれぞれ鉛直方向に沿って複数個形成してある。【選択図】  図１
2010177145.tif 000002
【特許請求の範囲】
【請求項１】
壁面に当接固定される背板、該背板と直交するようにその縁部に立設されたつなぎ板及び該つなぎ板と直交し前記背板と対向するように前記つなぎ板の縁部に立設された幕板とからなり断面がほぼＪ字状をなす照明ボックス体と、光源用のソケットを前記照明ボックス体の内側に配置するためのソケット取付け手段とを備え、該ソケット取付け手段は、前記つなぎ板からの前記ソケットの設置距離が可変となるように構成されてなることを特徴とする間接照明ユニット。
【請求項２】
前記ソケット取付け手段を、前記ソケットが取り付けられるソケット取付け板と、該ソケット取付け板の裏面であって背板側縁部及び幕板側縁部にそれぞれ形成された嵌合凹部に嵌り込む嵌合突起部材とで構成するとともに、前記背板及び前記幕板の対向面にそれぞれ嵌合穴を形成して該嵌合穴に前記嵌合突起部材の基部が着脱自在に嵌合されるようにした請求項１記載の間接照明ユニット。
【請求項３】
前記ソケット取付け手段を、前記背板、前記つなぎ板及び前記幕板に対して直交配置され前記照明ボックス体の内側空間を材軸方向に仕切る仕切板と、該仕切板の間に配置され前記ソケットが取り付けられるソケット取付け板と、該ソケット取付け板の裏面であって互いに反対側となる仕切板側縁部に形成された嵌合凹部に嵌り込む嵌合突起部材とで構成するとともに、前記仕切板の対向面にそれぞれ嵌合穴を形成して該嵌合穴に前記嵌合突起部材の基部が着脱自在に嵌合されるようにした請求項１記載の間接照明ユニット。
【請求項４】
前記ソケットが取り付けられるソケット側取付部とそれに直交する背板側取付部とでＬ字状ブラケットを構成して前記ソケット取付け手段とするとともに、前記背板側取付部に溝孔を形成し、該溝孔に挿通されたネジで前記Ｌ字状ブラケットを前記背板に固定するように構成した請求項１記載の間接照明ユニット。
【発明の詳細な説明】
【技術分野】
【０００１】
本発明は、住宅、オフィス、美術館などの建築空間や地下遊歩道等の土木空間に設置される間接照明ユニットに関する。
【背景技術】
【０００２】
照明方式のうち、いわゆる直接照明は、対象物に光を直接当てる方式であるのに対し、間接照明は、天井面や壁面での光反射を利用することで対象物に間接的に光を当てる方式であり、直接照明では、対象物での照度が上がって視認性や作業性が高くなるが、その反面、光が目に入り、眩しく感じる。
【０００３】
それに対し、間接照明は、対象物での照度は落ちるが、周囲を含めた全体の照度が均一になり、光が直接目に入ることもないため、落ち着いた雰囲気の空間を演出することができる。
【０００４】
照明設計を行う際は、このような視認性及び作業性と雰囲気形成とのバランスを考慮しながら、直接照明と間接照明を適宜使い分け、あるいは組み合わせることになる。
【０００５】
間接照明は上述したように、天井面や壁面で光が反射されるようにするとともに、適当な遮光手段によって光源からの光が直接目に入らないようにする必要があり、遮光が足りないと眩しく感じ、遮光が過剰だと、天井面や壁面が暗くなって照明不足となる。
【０００６】
天井面や壁面に映し出される明るい部分と暗い部分との境目をカットオフラインと呼んでいるが、かかるカットオフラインがくっきりと出てしまうと、間接照明による演出効果が低下し、望ましくない。
【０００７】
すなわち、間接照明を行うにあたっては、カットオフラインが出ないよう、換言すれば光の明暗にグラデーションが形成されるようにすることが重要となる。
【先行技術文献】
【特許文献】
【０００８】
【特許文献１】特開２００７−２９９６１１号公報
【特許文献２】特開２００６−２８６４３３号公報
【特許文献３】特開２００５−１９３４４号公報
【特許文献４】特開平８−１７１８０９号公報
【特許文献５】特開平６−３４６５４５号公報
【発明の概要】
【発明が解決しようとする課題】
【０００９】
ここで、光源からの光によって天井面や壁面にカットオフラインが形成されないかどうか、あるいはどのような光のグラデーションが天井面や壁面に映し出されるのかを設計段階から明確に把握しておくことは必ずしも容易ではない。
【００１０】
例えば天井面が湾曲していたり勾配がついていたりする場合には、光の入射角度に微妙なずれやばらつきが生じ、それが原因でカットオフラインが出てしまったり、グラデーションが予想していたものと違っていたりする場合が少なくない。
【００１１】
また、天井面や壁面が水平あるいは鉛直な平面であっても、天井面や壁面を構成する仕上げ材の光沢や色あるいは材質の違いによって、カットオフラインが出たり出なかったりという事態が生じ得る。
【００１２】
また、光源の種類が途中で変更になった場合には、カットオフラインの有無やグラデーションが設計時のものとは違ったものになる。
【００１３】
かかる状況においては、カットオフラインが出ないようにあるいは所望のグラデーションになるように、光源の取付け高さを施工現場で変更したり、遮光手段を現場加工したりしなければならない。
【００１４】
しかしながら、従来の間接照明ユニットでは、このようなカットオフラインやグラデーションに何ら配慮されていないため、上述した現場対応に手間と時間がかかるという問題を生じていた。
【課題を解決するための手段】
【００１５】
本発明は、上述した事情を考慮してなされたもので、カットオフラインが出ないようにあるいは所望のグラデーションになるように施工現場で容易に対応が可能な間接照明ユニットを提供することを目的とする。
【００１６】
上記目的を達成するため、本発明に係る間接照明ユニットは請求項１に記載したように、壁面に当接固定される背板、該背板と直交するようにその縁部に立設されたつなぎ板及び該つなぎ板と直交し前記背板と対向するように前記つなぎ板の縁部に立設された幕板とからなり断面がほぼＪ字状をなす照明ボックス体と、光源用のソケットを前記照明ボックス体の内側に配置するためのソケット取付け手段とを備え、該ソケット取付け手段は、前記つなぎ板からの前記ソケットの設置距離が可変となるように構成されてなるものである。
【００１７】
また、本発明に係る間接照明ユニットは、前記ソケット取付け手段を、前記ソケットが取り付けられるソケット取付け板と、該ソケット取付け板の裏面であって背板側縁部及び幕板側縁部にそれぞれ形成された嵌合凹部に嵌り込む嵌合突起部材とで構成するとともに、前記背板及び前記幕板の対向面にそれぞれ嵌合穴を形成して該嵌合穴に前記嵌合突起部材の基部が着脱自在に嵌合されるようにしたものである。
【００１８】
また、本発明に係る間接照明ユニットは、前記ソケット取付け手段を、前記背板、前記つなぎ板及び前記幕板に対して直交配置され前記照明ボックス体の内側空間を材軸方向に仕切る仕切板と、該仕切板の間に配置され前記ソケットが取り付けられるソケット取付け板と、該ソケット取付け板の裏面であって互いに反対側となる仕切板側縁部に形成された嵌合凹部に嵌り込む嵌合突起部材とで構成するとともに、前記仕切板の対向面にそれぞれ嵌合穴を形成して該嵌合穴に前記嵌合突起部材の基部が着脱自在に嵌合されるようにしたものである。
【００１９】
また、本発明に係る間接照明ユニットは、前記ソケットが取り付けられるソケット側取付部とそれに直交する背板側取付部とでＬ字状ブラケットを構成して前記ソケット取付け手段とするとともに、前記背板側取付部に溝孔を形成し、該溝孔に挿通されたネジで前記Ｌ字状ブラケットを前記背板に固定するように構成したものである。
【００２０】
本発明に係る間接照明ユニットにおいては、壁面に当接固定される背板と、該背板と直交するようにその縁部に立設されたつなぎ板と、該つなぎ板と直交し背板と対向するようにつなぎ板の縁部に立設された幕板とで断面がほぼＪ字状をなす長尺状の照明ボックス体を構成するとともに、該照明ボックス体の内側に光源用のソケットをソケット取付け手段を介して配置するが、かかるソケット取付け手段は、つなぎ板からのソケットの設置距離が可変となるように構成してある。
【００２１】
かかる構成においては、ソケットを照明ボックス体の内側に配置する際、照明ボックス体のつなぎ板からのソケットの設置距離をソケット取付け手段で調整する。
【００２２】
このようにすると、ソケットは、照明ボックス体の奥の方から手前に至るまでの範囲、換言すればつなぎ板に近接した位置から該つなぎと離れた位置に至る範囲で設置位置が変化し、それに伴って、該ソケットに取り付けられた光源からの光は、幕板に遮光される度合いが徐々に小さくなって、照射角度が大きくなる。
【００２３】
すなわち、照明ボックス体の奥の方にソケットを配置したとき、光源から出た光は、幕板に遮光される度合いが大きくなって照射角度が制限されるため、照明ボックス体をその材軸が水平になるように天井近傍の壁面に取り付けた場合には（以下、天井タイプと呼ぶ）、天井への照射範囲が小さくなるとともに、照明ボックス体をその材軸が鉛直になるように直交壁面の取合い箇所に取り付けた場合には（以下、壁面タイプと呼ぶ）、直交壁面への照射範囲が小さくなり、いずれの場合も照射範囲の明るい部分とその外側の暗い部分との照度の差が大きくなり、カットオフラインがはっきりと現れる。
【００２４】
それとは逆に、照明ボックス体の手前の方にソケットを配置したとき、光源から出た光は、幕板に遮光される度合いが小さくなって照射角度が拡がるため、天井タイプの場合、天井への照射範囲が大きくなるとともに、壁面タイプの場合、直交壁面への照射範囲が大きくなり、いずれの場合も照射範囲の明るい部分とその外側の暗い部分との照度の差が小さくなってカットオフラインが穏やかになり、目立たなくなる。
【００２５】
したがって、本発明に係る間接照明ユニットによれば、カットオフラインが生じずかつ光源からの光が直接目に入らないような最適位置に光源を配置することが現場作業で可能となり、光源の照射範囲が想定範囲よりも狭くなってカットオフラインが生じた場合には、ソケットを照明ボックス体の手前に設置することにより、照射範囲を拡げてカットオフラインが目立たないようにすることができるとともに、光源からの光が目に入って眩しい場合には、ソケットを照明ボックス体の奥に設置することにより、照射範囲を狭くして光源からの光が視界に入らないようにすることができる。
【００２６】
ソケット取付け手段は、つなぎ板からのソケットの設置距離が可変となるように構成される限り、任意に構成することが可能であり、例えば、ソケットが取り付けられるソケット取付け板と、該ソケット取付け板の裏面であって背板側縁部及び幕板側縁部にそれぞれ形成された嵌合凹部に嵌り込む嵌合突起部材とで構成するとともに、背板及び幕板の対向面にそれぞれ嵌合穴を形成して該嵌合穴に嵌合突起部材の基部が着脱自在に嵌合されるように構成することができる。
【００２７】
また、ソケット取付け手段は、背板、つなぎ板及び幕板に対して直交配置され照明ボックス体の内側空間を材軸方向に仕切る仕切板と、該仕切板の間に配置されソケットが取り付けられるソケット取付け板と、該ソケット取付け板の裏面であって互いに反対側となる仕切板側縁部に形成された嵌合凹部に嵌り込む嵌合突起部材とで構成するとともに、仕切板の対向面にそれぞれ嵌合穴を形成して該嵌合穴に嵌合突起部材の基部が着脱自在に嵌合されるように構成することがができる。
【００２８】
上述した各構成において、嵌合突起部材とそれが嵌り込む嵌合凹部は、いわゆるダボとダボ穴であり、ダボ穴を適宜形成しておくことで、ソケットの設置高さを上下に調整することができる。
【００２９】
すなわち、これらの構成においてには、ソケット取付け板をダボで受けることになるため、天井タイプに限定される。
【００３０】
一方、別の例として、ソケット取付け手段を、ソケットが取り付けられるソケット側取付部とそれに直交する背板側取付部とからなるＬ字状ブラケットとして構成するとともに、背板側取付部に溝孔を形成し、該溝孔に挿通されたネジでＬ字状ブラケットを背板に固定するように構成することも可能であり、かかる構成は、天井タイプ、壁面タイプいずれにも適用することが可能である。
【図面の簡単な説明】
【００３１】
【図１】第１実施形態に係る間接照明ユニットの全体斜視図。
【図２】同じく第１実施形態に係る間接照明ユニットの図であり、(a)は側方から見た鉛直断面図、(b)はＡ−Ａ線に沿う鉛直断面図、(c)はＢ−Ｂ線に沿う鉛直断面図。
【図３】第１実施形態に係る間接照明ユニットの作用を示した説明図。
【図４】第２実施形態に係る間接照明ユニットの平面図。
【図５】同じく第２実施形態に係る間接照明ユニットの図であり、(a)はＣ−Ｃ断面に沿う鉛直断面図、(b)はＤ−Ｄ線に沿う鉛直断面図。
【図６】第３実施形態に係る間接照明ユニットの全体斜視図。
【図７】同じく第３実施形態に係る間接照明ユニットの図であり、(a)は鉛直断面図、(b)は水平断面図。
【図８】第３実施形態に係る間接照明ユニットの作用を示した説明図。
【発明を実施するための形態】
【００３２】
以下、本発明に係る間接照明ユニットの実施の形態について、添付図面を参照して説明する。なお、従来技術と実質的に同一の部品等については同一の符号を付してその説明を省略する。
【００３３】
（第１実施形態  〜天井タイプ〜）
【００３４】
図１は、本実施形態に係る間接照明ユニット１を示した全体斜視図、図２は同じく鉛直断面図である。これらの図でわかるように、本実施形態に係る間接照明ユニット１は、天井２１の近傍に水平に設置される照明ボックス体２と、ソケット取付け板３と、嵌合突起部材としてのダボ４とで構成してある。
【００３５】
照明ボックス体２は、天井２１近傍の壁面５に当接固定される背板６と、該背板の床側縁部に該背板と直交するように立設されたつなぎ板７と、該つなぎ板の先端縁部に背板６と対向するようにかつつなぎ板７と直交するように立設された幕板８とからなり、断面がほぼＪ字状をなす長尺状部材として構成してある。
【００３６】
ソケット取付け板３は、その表面に光源である蛍光灯９のソケット１０をネジ、ボルト等で留め付けることで、該ソケットを照明ボックス体２の内側に配置できるようになっている。
【００３７】
ここで、ソケット取付け板３の裏面には、ダボ４が嵌り込む嵌合凹部１１を背板側縁部及び幕板側縁部にそれぞれ形成してあるとともに、背板６及び幕板８の対向側面には、ダボ４の基部が着脱自在に嵌合される嵌合穴としてのダボ穴１２をそれぞれ鉛直方向に沿って複数個形成してあり、ダボ４を差し込むダボ穴１２を変更することによって、ソケット取付け板３のつなぎ板７からの設置距離、換言すればソケット取付け板３の設置高さを変更できるようになっている。すなわち、ソケット取付け板３及びダボ４は、ソケット１０の設置高さが可変となるように構成されたソケット取付け手段として機能する。
【００３８】
なお、ソケット取付け板３とつなぎ板７との間に形成される空間は、例えば配線スペースとして利用することができる。
【００３９】
本実施形態に係る間接照明ユニット１を施工するにあたっては、まず、照明ボックス体２を現場に搬入した後、施工現場の状況に合わせて背板６を適宜切断する。
【００４０】
すなわち、照明ボックス体２は、そのつなぎ板７及び幕板８が蛍光灯９から照射される光の一部を遮断することで、該蛍光灯による照明方式を間接照明にするとともに、背板６を介して壁面５への取付けを可能にするものである。
【００４１】
加えて、壁面５に用いるクロスと同じものを巻き込むことで、壁面と一体化させることが可能であり、かかる場合、照明ボックス体２は、クロス仕上げを行うための下地となる。
【００４２】
そのため、照明ボックス体２が適切な高さに位置決めされたならば、その状態で背板６の上縁がちょうど天井２１に当接するよう、背板６の上方を切断する。
【００４３】
このようにすれば、壁面５に対してクロス仕上げを行う際、背板６の上縁が段差にならず、クロス仕上げの美観を損ねるおそれがなくなる。
【００４４】
次に、照明ボックス体２の位置決めと相前後して又は同時に、蛍光灯９から出た光が幕板８によって適切に遮光され、天井２１にカットオフラインが生じないかどうかをチェックする。
【００４５】
ここで、図３(a)のように、カットオフラインが天井２１に現れた場合、幕板８による遮光が過剰であるので、ダボ４が差し込まれるダボ穴１２をより高い位置のダボ穴１２に変更することで、ソケット取付け板３の設置高さを高くする。
【００４６】
一方、図３(b)のように、蛍光灯９から出た光が目に入って眩しいようであれば、幕板８による遮光が不足しているので、ダボ４が差し込まれるダボ穴１２をより低い位置のダボ穴１２へと変更することで、ソケット取付け板３の設置高さを低くする。
【００４７】
以上説明したように、本実施形態に係る間接照明ユニット１によれば、光源である蛍光灯９の照射範囲が想定範囲よりも狭くなってカットオフラインが生じた場合には、ソケット取付け板３を上げてソケット１０の設置高さを上方に調整することにより、照射範囲を拡げてカットオフラインが目立たないようにすることができる。
【００４８】
これとは逆に、蛍光灯９からの光が目に入って眩しい場合には、ソケット取付け板３を下げてソケット１０の設置高さを下方に調整することにより、照射範囲を狭くし、蛍光灯９からの光が視界に入らないようにすることができる。
【００４９】
（第２実施形態  〜天井タイプ〜）
【００５０】
次に、第２実施形態について説明する。なお、第１実施形態と実質的に同一の部品等については同一の番号を付してその説明を省略する。
【００５１】
図４は、本実施形態に係る間接照明ユニット３１を示した平面図、図５は同じく鉛直断面図である。これらの図でわかるように、本実施形態に係る間接照明ユニット３１は、天井２１の近傍に水平に設置される照明ボックス体２と、仕切板３２と、ソケット取付け板３３と、嵌合突起部材としてのダボ４とで構成してある。
【００５２】
仕切板３２は、背板６、つなぎ板７及び幕板８に対して直交配置され、照明ボックス体２の内側空間を材軸方向に仕切ることができるように構成してあるとともに、その周縁を、背板６、つなぎ板７及び幕板８に接着剤で固着してある。
【００５３】
ソケット取付け板３３は、仕切板３２，３２の間に配置されるようになっているとともに、その表面に光源である蛍光灯９のソケット１０をネジ、ボルト等で留め付けることで、該ソケットを照明ボックス体２の内側に配置できるようになっている。
【００５４】
ここで、ソケット取付け板３３の裏面には、ダボ４が嵌り込む嵌合凹部１１を互いに反対側となる一対の仕切板側縁部にそれぞれ形成してあるとともに、仕切板３２，３２の対向側面には、ダボ４の基部が着脱自在に嵌合される嵌合穴としてのダボ穴１２をそれぞれ鉛直方向に沿って複数個形成してあり、ダボ４を差し込むダボ穴１２を変更することによって、ソケット取付け板３３のつなぎ板７からの設置距離、換言すればソケット取付け板３３の設置高さを変更できるようになっている。すなわち、仕切板３２、ソケット取付け板３３及びダボ４は、ソケット１０の設置高さが可変となるように構成されたソケット取付け手段として機能する。
【００５５】
なお、ソケット取付け板３３とつなぎ板７との間に形成される空間は、例えば配線スペースとして利用することができる。
【００５６】
本実施形態に係る間接照明ユニット３１を施工するにあたっては、まず第１実施形態と同様に、照明ボックス体２を現場に搬入した後、施工現場の状況に合わせて背板６を適宜切断する。
【００５７】
次に、照明ボックス体２の位置決めと相前後して又は同時に、蛍光灯９から出た光が幕板８によって適切に遮光され、天井２１にカットオフラインが生じないかどうかをチェックする。
【００５８】
ここで、カットオフラインが天井２１に現れた場合、幕板８による遮光が過剰であるので、ダボ４が差し込まれるダボ穴１２をより高い位置のダボ穴１２に変更することで、ソケット取付け板３３の設置高さを高くする。
【００５９】
一方、蛍光灯９から出た光が目に入って眩しいようであれば、幕板８による遮光が不足しているので、ダボ４が差し込まれるダボ穴１２をより低い位置のダボ穴１２へと変更することで、ソケット取付け板３３の設置高さを低くする。
【００６０】
以上説明したように、本実施形態に係る間接照明ユニット３１によれば、光源である蛍光灯９の照射範囲が想定範囲よりも狭くなってカットオフラインが生じた場合には、ソケット取付け板３３を上げてソケット１０の設置高さを上方に調整することにより、照射範囲を拡げてカットオフラインが目立たないようにすることができる。
【００６１】
これとは逆に、蛍光灯９からの光が目に入って眩しい場合には、ソケット取付け板３３を下げてソケット１０の設置高さを下方に調整することにより、照射範囲を狭くし、蛍光灯９からの光が視界に入らないようにすることができる。
【００６２】
また、本実施形態に係る間接照明ユニット３１によれば、仕切板３２の周縁を背板６、つなぎ板７及び幕板８に接着剤で固着したので、該仕切板は、ダボ４を介してソケット取付け板３３を受ける役目を果たすのみならず、照明ボックス体２を補強する役目も果たす。
【００６３】
また、本実施形態に係る間接照明ユニット３１によれば、仕切板３２，３２の対向側面にダボ穴１２を形成して該ダボ穴にダボ４の基部を差込み自在とするとともに、ソケット取付け板３３の嵌合凹部１１に上述のダボ４を嵌め込むことで、ソケット取付け板３３を仕切板３２，３２の間に架け渡すようにしたので、ソケット取付け板３３を照明ボックス体２から容易に取り外すことが可能となる。
【００６４】
そのため、ソケット取付け板３３の上に積もった埃を容易に除去することができるとともに、照明ボックス体２の内側に埃がたまる懸念もなくなり、かくしてメンテナンスに配慮された間接照明ユニットとなる。
【００６５】
また、本実施形態に係る間接照明ユニット３１によれば、仕切板３２，３２の対向側面にダボ穴１２を形成するようにしたので、長尺物である背板６や幕板８への加工が必要なくなり、第１実施形態よりも製作が容易となる。
【００６６】
（第３実施形態  〜壁面タイプ〜）
【００６７】
次に、第３実施形態について説明する。なお、第１実施形態と実質的に同一の部品等については同一の番号を付してその説明を省略する。
【００６８】
図６は、本実施形態に係る間接照明ユニット４１を示した全体斜視図、図７は同じく正面方向から見た鉛直断面図及び水平断面図である。これらの図でわかるように、本実施形態に係る間接照明ユニット４１は、互いに直角に取り合う壁面４２ａ，４２ｂのうち、壁面４２ｂの近傍に位置する壁面４２ａに鉛直に設置される照明ボックス体２と、ソケット取付け手段としてのＬ字状ブラケット４３とで構成してあり、照明ボックス体２は、本実施形態では、壁面４２ａに背板６を当接固定する。
【００６９】
Ｌ字状ブラケット４３は、蛍光灯９のソケット１０が取り付けられるソケット側取付部４４とそれに直交する背板側取付部４５とで構成してあるとともに、背板側取付部４５に溝孔４６を形成し、該溝孔に挿通されたネジ４７でＬ字状ブラケット４３を背板６に固定するようになっている。
【００７０】
本実施形態に係る間接照明ユニット４１を施工するにあたっては、まず、照明ボックス体２を現場に搬入した後、施工現場の状況に合わせて背板６を適宜切断する。
【００７１】
すなわち、照明ボックス体２は、そのつなぎ板７及び幕板８が蛍光灯９から照射される光の一部を遮断することで、該蛍光灯による照明方式を間接照明にするとともに、背板６を介して壁面４２ａへの取付けを可能にするものである。
【００７２】
加えて、壁面４２ａ，４２ｂに用いるクロスと同じものを巻き込むことで、壁面と一体化させることが可能であり、かかる場合、照明ボックス体２は、クロス仕上げを行うための下地となる。
【００７３】
そのため、照明ボックス体２が壁面４２ｂから適切な離間距離に位置決めされたならば、その状態で背板６の縁部がちょうど壁面４２ｂに当接するよう、背板６の側方を切断する。
【００７４】
このようにすれば、壁面４２ａ，４２ｂに対してクロス仕上げを行う際、背板６の側方縁部が段差にならず、クロスの美観を損ねるおそれがなくなる。
【００７５】
次に、照明ボックス体２の位置決めと相前後して又は同時に、蛍光灯９から出た光が幕板８によって適切に遮光され、壁面４２ｂにカットオフラインが生じないかどうかをチェックする。
【００７６】
ここで、図８(a)のように、カットオフラインが壁面４２ｂに現れた場合、幕板８による遮光が過剰であるので、ネジ４７をいったん緩め、次いで、ソケット１０の設置位置が照明ボックス体２の奥の方から手前に移動するように、図６(a)では左方向にＬ字状ブラケット４３をスライドさせ、所望位置でネジ４７を締め付けて固定する。
【００７７】
一方、図８(b)のように、蛍光灯９から出た光が目に入って眩しいようであれば、幕板８による遮光が不足しているので、ネジ４７をいったん緩め、次いで、ソケット１０の設置位置が照明ボックス体２の手前から奥の方に移動するように、図８(b)では右方向にＬ字状ブラケット４３をスライドさせ、所望位置でネジ４７を締め付けて固定する。
【００７８】
以上説明したように、本実施形態に係る間接照明ユニット４１によれば、光源である蛍光灯９の照射範囲が想定範囲よりも狭くなってカットオフラインが生じた場合には、ソケット１０が照明ボックス体２の奥ではなく手前に設置されるように、Ｌ字状ブラケット４３を水平にスライドさせることにより、照射範囲を拡げてカットオフラインが目立たないようにすることができる。
【００７９】
これとは逆に、蛍光灯９からの光が目に入って眩しい場合には、ソケット１０が照明ボックス体２の手前ではなく奥に設置されるように、Ｌ字状ブラケット４３を水平にスライドさせることにより、照射範囲を狭くし、蛍光灯９からの光が視界に入らないようにすることができる。
【００８０】
本実施形態では、間接照明ユニット４１を壁面タイプとして用いる例を説明したが、第１，２実施形態のように天井タイプとして用いることも可能である。
【符号の説明】
【００８１】
１，４１    間接照明ユニット
２          照明ボックス体
３          ソケット取付け板（ソケット取付け手段）
４          ダボ（嵌合突起部材、ソケット取付け手段）
６          背板
７          つなぎ板
８          幕板
９          蛍光灯（光源）
１０          ソケット
１１          嵌合凹部
１２          ダボ穴（嵌合穴）
４３          Ｌ字状ブラケット（ソケット取付け手段）
４４          ソケット側取付部
４５          背板側取付部
４６          溝孔
４７          ネジ
【図１】
2010177145.tif 000003
【図２】
2010177145.tif 000004
【図３】
2010177145.tif 000005
【図４】
2010177145.tif 000006
【図５】
2010177145.tif 000007
【図６】
2010177145.tif 000008
【図７】
2010177145.tif 000009
【図８】
2010177145.tif 000010